(57)【特許請求の範囲】
【請求項１】
照明装置が配置された照明空間の複数箇所の明るさを検出する複数個の明るさセンサから前記照明空間の明るさを反映した明るさ値を取得する取得部と、
前記明るさセンサのそれぞれから所定の取得タイミングで取得した複数個の明るさ値の代表値を算出する演算部と、
前記演算部が算出した前記代表値が規定の目標範囲から逸脱している場合に、前記代表値が前記目標範囲に収まるように前記照明装置に調光値を指示する制御部とを備え、
前記取得部は、一定の時間間隔である基本タイミングと、前記明るさセンサが発生する割込信号を受けた割込タイミングとを前記取得タイミングとして、前記明るさセンサから明るさ値を取得し、
前記制御部は、前記取得部が前記割込タイミングで取得した明るさ値により前記照明装置に指示する調光値を変更した場合に、少なくとも次の基本タイミングまで調光値を維持する
ことを特徴とする照明制御装置。
【請求項２】
前記取得部は、前記明るさセンサのいずれかが発生した割込信号を受けた割込タイミングを前記取得タイミングとして前記複数個の前記明るさセンサから明るさ値を取得し、
前記制御部は、前記取得部が前記割込タイミングで取得した明るさ値の前記代表値が前記目標範囲に収まるように前記照明装置に即時に調光値を指示する
ことを特徴とする請求項１記載の照明制御装置。
【請求項３】
前記制御部は、前記取得部が前記割込タイミングで取得した明るさ値の前記代表値が規定の限界範囲を逸脱している場合に、前記代表値が前記目標範囲に収まるように前記照明装置に即時に調光値を指示する
ことを特徴とする請求項２記載の照明制御装置。
【請求項４】
前記明るさセンサは、明るさ値が規定の限界範囲を逸脱した場合に割込信号を発生する
ことを特徴とする請求項２記載の照明制御装置。
【請求項５】
前記限界範囲について下限値である下側閾値のみが定められている
ことを特徴とする請求項３又は４記載の照明制御装置。
【請求項６】
前記取得部は、前記照明空間における人の存否を検出する人感センサの検出出力を取得する機能をさらに備え、
前記制御部は、前記取得タイミングにおいて前記人感センサが人の存在を検出している場合に、前記演算部が算出した前記代表値が前記目標範囲に収まるように前記照明装置に調光値を指示する
ことを特徴とする請求項１〜５のいずれか１項に記載の照明制御装置。
【請求項７】
照明空間の複数箇所の明るさを検出する複数個の明るさセンサと、
前記照明空間を照明する１乃至複数個の照明器具と、
前記明るさセンサが検出した明るさを用いて前記照明器具の調光値を定め、かつ前記照明器具の調光値を通信により指示する照明制御装置とを備え、
前記照明制御装置は、
前記明るさセンサから前記照明空間の明るさを反映した明るさ値を取得する取得部と、
前記明るさセンサから所定の取得タイミングで取得した複数個の明るさ値の代表値を算出する演算部と、
前記演算部が算出した前記代表値が規定の目標範囲から逸脱している場合に、前記代表値が前記目標範囲に収まるように前記照明器具に調光値を指示する制御部とを備え、
前記取得部は、一定の時間間隔である基本タイミングと、前記明るさセンサが発生する割込信号を受けた割込タイミングとを前記取得タイミングとして、前記明るさセンサから明るさ値を取得し、
前記制御部は、前記取得部が前記割込タイミングで取得した明るさ値により前記照明器具に指示する調光値を変更した場合に、少なくとも次の基本タイミングまで調光値を維持する
ことを特徴とする照明制御システム。
【発明の詳細な説明】
【技術分野】
【０００１】
本発明は、照明空間の明るさに応じて照明装置の光出力を制御する照明制御装置、およびこの照明制御装置を用いた照明制御システムに関するものである。
【背景技術】
【０００２】
従来から、天井などに取り付けられた明るさセンサが検出した明るさに応じて照明装置を調光制御する照明制御装置が提供されている（たとえば、特許文献１参照）。特許文献１に記載された照明装置は、作業面の照度を照度検出部（明るさセンサに相当）により検出し、照度検出部の検出出力をサンプリングした照度データから算出した代表値を用いて照明部（照明装置に相当）を調光制御している。すなわち、特許文献１に記載された技術では、照度検出部の検出出力の時系列データである照度データから移動平均値や積分値のような代表値を算出し、算出された代表値を用いて照明部の光出力を制御している。この構成により、特許文献１に記載された照明装置では、照明部が照度検出部の検出出力の急激かつ瞬間的な変化に追随して制御されることがなく、照明部の光出力のちらつきが抑制されている。
【先行技術文献】
【特許文献】
【０００３】
【特許文献１】特開平８−１９５２８４号公報
【発明の概要】
【発明が解決しようとする課題】
【０００４】
ところで、特許文献１に記載された発明では、照度検出部により検出される作業面の範囲は比較的狭い範囲に限られている。多数個の照明装置が設置されるオフィスのような照明空間では明るさが場所によって異なるから、１個の明るさセンサが検出した明るさを用いて照明空間のすべての照明装置の光出力を制御すると、照明空間の場所によって照度に過不足が生じる。照度の過不足の程度は、明るさセンサの設置場所に依存し、明るさセンサの設置場所が適正でない場合、照明空間の場所によっては照度が適正値から大きくずれることになる。
【０００５】
一方、照明器具ごとに明るさセンサを設け、照明器具ごとに光出力を制御する技術も知られているが、個々の照明器具の光出力を制御すると、照明器具の輝度が場所ごとに異なる場合があり、使用者にとって違和感が生じる可能性がある。
【０００６】
本発明は、照明空間に複数個の照明装置が配置される場合でも照明装置を一律に制御することによって照明装置の輝度が場所によってばらつかないようにし、しかも、照明空間の明るさに大幅な過不足が生じないように照明装置の光出力が適正化される照明制御装置を提供することを目的とし、さらに、この照明制御装置を用いた照明制御システムを提供することを目的とする。
【課題を解決するための手段】
【０００７】
本発明に係る照明制御装置は、上記目的を達成するために、照明装置が配置された照明空間の複数箇所の明るさを検出する複数個の明るさセンサから前記照明空間の明るさを反映した明るさ値を取得する取得部と、前記明るさセンサのそれぞれから所定の取得タイミングで取得した複数個の明るさ値の代表値を算出する演算部と、前記演算部が算出した前記代表値が規定の目標範囲から逸脱している場合に、前記代表値が前記目標範囲に収まるように前記照明装置に調光値を指示する制御部とを備え、前記取得部は、一定の時間間隔である基本タイミングと、前記明るさセンサが発生する割込信号を受けた割込タイミングとを前記取得タイミングとして、前記明るさセンサから明るさ値を取得し、前記制御部は、前記取得部が前記割込タイミングで取得した明るさ値により前記照明装置に指示する調光値を変更した場合に、少なくとも次の基本タイミングまで調光値を維持することを特徴とする。
【０００８】
この照明制御装置において、前記取得部は、前記明るさセンサのいずれかが発生した割込信号を受けた割込タイミングを前記取得タイミングとして前記複数個の前記明るさセンサから明るさ値を取得し、前記制御部は、前記取得部が前記割込タイミングで取得した明るさ値の前記代表値が前記目標範囲に収まるように前記照明装置に即時に調光値を指示することが好ましい。
【０００９】
この照明制御装置において、前記制御部は、前記取得部が前記割込タイミングで取得した明るさ値の前記代表値が規定の限界範囲を逸脱している場合に、前記代表値が前記目標範囲に収まるように前記照明装置に即時に調光値を指示することがさらに好ましい。
【００１０】
この照明制御装置において、前記明るさセンサは、明るさ値が規定の限界範囲を逸脱した場合に割込信号を発生することがさらに好ましい。
【００１１】
この照明制御装置において、前記限界範囲について下限値である下側閾値のみが定められていることがさらに好ましい。
【００１２】
この照明制御装置において、前記取得部は、前記照明空間における人の存否を検出する人感センサの検出出力を取得する機能をさらに備え、前記制御部は、前記取得タイミングにおいて前記人感センサが人の存在を検出している場合に、前記演算部が算出した前記代表値が前記目標範囲に収まるように前記照明装置に調光値を指示することが好ましい。
【００１４】
本発明に係る照明制御システムは、上記目的を達成するために、照明空間の複数箇所の明るさを検出する複数個の明るさセンサと、前記照明空間を照明する１乃至複数個の照明器具と、前記明るさセンサが検出した明るさを用いて前記照明器具の調光値を定め、かつ前記照明器具の調光値を通信により指示する照明制御装置とを備え、前記照明制御装置は、前記明るさセンサから前記照明空間の明るさを反映した明るさ値を取得する取得部と、前記明るさセンサから所定の取得タイミングで取得した複数個の明るさ値の代表値を算出する演算部と、前記演算部が算出した前記代表値が規定の目標範囲から逸脱している場合に、前記代表値が前記目標範囲に収まるように前記照明器具に調光値を指示する制御部とを備え、前記取得部は、一定の時間間隔である基本タイミングと、前記明るさセンサが発生する割込信号を受けた割込タイミングとを前記取得タイミングとして、前記明るさセンサから明るさ値を取得し、前記制御部は、前記取得部が前記割込タイミングで取得した明るさ値により前記照明器具に指示する調光値を変更した場合に、少なくとも次の基本タイミングまで調光値を維持することを特徴とする。
【発明の効果】
【００１５】
本発明の構成によれば、照明空間に複数個の照明装置が配置される場合でも照明装置が一律に制御されるから、照明装置の輝度が場所によってばらつくことがない。しかも、複数個の明るさセンサを用いて照明空間の複数箇所の明るさ値を取得し、取得した複数の明るさ値の代表値を用い、この代表値が目標範囲に収まるように照明装置の調光値を指示するから、照明空間の場所によって明るさに大幅な過不足が生じることのないように、照明装置の光出力が適正化されるという利点がある。
【図面の簡単な説明】
【００１６】
【図１】実施形態１を示すブロック図である。
【図２】同上を用いた照明制御システムを示す構成図である。
【図３】同上の動作例を示す説明図である。
【図４】同上の処理手順を示す動作説明図である。
【図５】実施形態２の処理手順を示す動作説明図である。
【図６】同上の動作例を示す説明図である。
【図７】実施形態３の照明制御システムを示す構成図である。
【図８】同上の動作例を示す説明図である。
【発明を実施するための形態】
【００１７】
（実施形態１）
以下では、オフィス、店舗のように、複数個の照明装置を用いて照明される照明空間を例として説明する。ただし、照明装置は１個でもよい。また、以下の説明では、個々に独立した照明器具を照明装置として説明するが、照明装置は、必ずしも独立した器具の形態を備えていなくてもよい。
【００１８】
図２に示すように、照明器具２１は通信路Ｌ１を通して照明制御装置１０と通信する。したがって、照明器具２１は通信用のアドレスが設定されており、照明制御装置１０は、アドレスを用いて照明器具２１を指定し、通信路Ｌ１を通して照明器具２１に調光信号を送信する。照明器具２１は、調光信号を受信すると、調光信号に含まれる調光値に応じて光出力を調節する。
【００１９】
図示例において、照明制御装置１０と複数台の照明器具２１との間が１本の通信路Ｌ１で結ばれている形態を示しているが、照明制御装置１０が個々の照明器具２１と通信可能な形態であれば、通信路Ｌ１の形態はとくに問わない。たとえば、照明制御装置１０と照明器具２１との間の通信路Ｌ１が図示しない中継装置によって複数系統に分岐され、系統ごとに照明器具２１が接続される形態を採用してもよい。また、有線の通信路Ｌ１を想定しているが、無線の通信路Ｌ１を用いてもよい。
【００２０】
照明器具２１が配置された照明空間に、複数個の明るさセンサ２２が配置される。明るさセンサ２２は、通常は天井に配置され、机上面や床面の照度を反射光により監視する。ただし、明るさセンサ２２は、天井だけではなく、壁面に配置してもよい。要するに、明るさセンサ２２は、照明空間の明るさを反映した入射光束に相当する出力を明るさ値として検出する。
【００２１】
図示例において、明るさセンサ２２は、照明器具２１とは別の接続線Ｌ２を介して照明制御装置１０に接続され、照明制御装置１０は、個々の明るさセンサ２２から照明空間の明るさを反映した明るさ値を個々に取得する。そのため、図示例の照明制御装置１０は、明るさセンサ２２ごとに１本の接続線Ｌ２を備えている。ただし、照明制御装置１０と明るさセンサ２２との間で通信を行う場合、接続線Ｌ２は１本以上あればよい。この場合、照明器具２１と同様に、明るさセンサ２２に通信用のアドレスが設定され、照明制御装置１０は、アドレスを用いて明るさセンサ２２を個別に認識する。照明器具２１が接続される通信路Ｌ１と明るさセンサ２２が接続される接続線Ｌ２とは共用されていてもよい。
【００２２】
図１に示すように、照明制御装置１０は、明るさセンサ２２から明るさ値を取得する取得部１１を備える。取得部１１は、明るさセンサ２２ごとに所定の取得タイミングで明るさ値を取得する。取得部１１は、たとえば１５ｓ程度の一定の時間間隔である基本タイミングと、後述する条件が成立した時点の割込タイミングとにおいて、明るさセンサ２２から明るさ値を取得する。すなわち、取得部１１は、基本タイミングと割込タイミングとの２種類の取得タイミングを有している。照明制御装置１０は、基本タイミングを定めるために、一定周期を計時する定周期タイマ１４を備える。
【００２３】
照明制御装置１０は、明るさセンサ２２ごとに基本タイミングにおいて取得した複数個の明るさ値から代表値を算出する演算部１２と、演算部１２が算出した代表値を用いて照明器具２１に与える調光値を指示する制御部１３とを備える。代表値は、複数個の明るさ値の平均値あるいは中央値が主として用いられ、照明空間の特性や用途によっては、複数個の明るさ値の最大値や最小値が代表値に用いられる。以下では、代表値として平均値を用いる場合を想定する。制御部１３は、明るさ値に対する目標範囲が規定されており、代表値が目標範囲を逸脱する場合に、代表値が目標範囲に収まるように、照明器具２１に調光値を指示する。
【００２４】
目標範囲は、図３に示すように、目標値Ｖ０を挟んで許容上限Ｖ１と許容下限Ｖ２とによって定められる。目標値Ｖ０は、たとえば照明空間の用途に応じて定められ、目標値Ｖ０に対する明るさ値の変化の上限および下限が、許容上限Ｖ１および許容下限Ｖ２として定められる。図３において×印で表された時刻は基本タイミングであり、演算部１２は、この時刻に取得部１１が取得した明るさ値から代表値を求める。図３に示す例では、基本タイミングは、時刻ｔ０，ｔ１，…，ｔ５に対応する。
【００２５】
制御部１３は、演算部１２が算出した代表値（図３ではＰ１）が許容上限Ｖ１と許容下限Ｖ２との間に収まっている（代表値Ｐ１が、許容上限Ｖ１を下回り、かつ許容下限Ｖ２を上回る）期間は、照明器具２１に与えられた調光値を適正値と判断し、その時点の調光値を維持する。一方、代表値Ｐ１が許容上限Ｖ１以上である場合は、照明器具２１の光出力を減少させるように調光値を定め、逆に代表値Ｐ１が許容下限Ｖ２以下である場合は、照明器具２１の光出力を増加させるように調光値を定める。
【００２６】
図３の例では、時刻ｔ１，ｔ５に代表値Ｐ１が許容上限Ｖ１以上になっているから、制御部１３は、照明器具２１に対して光出力を減少させる調光値を送信する。また、時刻ｔ２に代表値Ｐ１が許容下限Ｖ２以下になっているから、制御部１３は、照明器具２１に対して光出力を増加させる調光値を送信する。すなわち、基本タイミングである時刻ｔ１，ｔ２，ｔ５において、照明器具２１に送信する調光値の更新ＲＮを行う。
【００２７】
調光値の更新ＲＮを行う際の調光値の増減の変化幅は、演算部１２が求めた代表値と許容上限Ｖ１あるいは許容下限Ｖ２との差に基づいて動的に定められるか、あるいは、一定値になるように固定的に定められる。調光値の増減の変化幅を固定的に定める構成を採用する場合、照明器具２１に調光値を１回送信しただけでは、代表値が目標範囲に収まらないことが考えられる。したがって、このようなときでも、調光値を数回送信する間に代表値が目標範囲に収まるように、調光値の変化幅は、許容上限Ｖ１と許容下限Ｖ２との差よりは十分に小さく設定することが必要である。
【００２８】
照明制御装置１０の動作を図４に示す。照明制御装置１０は、マイコンのようにプログラムを実行して上述した処理を行うデバイスを備える。照明制御装置１０の動作が開始されると、定周期タイマ１４が計時を開始し、定周期タイマ１４がタイムアップするたびに（Ｓ１１，Ｓ１２：ｙｅｓ）、取得部１１が明るさセンサ２２ごとの明るさ値を取得する（Ｓ１３）。
【００２９】
取得部１１が取得した明るさ値は演算部１２に与えられ、演算部１２は、取得した明るさ値から代表値（たとえば、平均値）を算出する（Ｓ１４）。制御部１３は、演算部１２が算出した代表値が許容上限Ｖ１以上であるときには（Ｓ１５：ｙｅｓ）、調光値を減少させ（Ｓ１６）、演算部１２が算出した代表値が許容下限Ｖ２以下であるときには（Ｓ１７：ｙｅｓ）、調光値を増加させる（Ｓ１８）。また、制御部１３は、代表値が許容上限Ｖ１を下回り（Ｓ１５：ｎｏ）、かつ代表値が許容下限Ｖ２を上回るときには（Ｓ１７：ｎｏ）、取得部１１が次に明るさ値を取得するまで、その時点の調光値を維持する。
【００３０】
以上説明したように、本実施形態の構成を採用すると、複数個の明るさセンサ２２が検出した明るさ値の代表値を用いて照明器具２１の調光値を定めるから、照明空間を利用者にとって好適な明るさに調節できる。たとえば、照明空間の明るさが場所によって異なる場合に、明るさの異なる場所を照明する照明器具２１の調光値を異ならせる制御を行うとすれば、照明器具２１の輝度が場所によって異なることによる違和感が生じる。これに対して、本実施形態の構成を採用すると、照明空間の比較的広い領域から収集した明るさ値の代表値を用いて照明器具２１の調光値を定めるから、照明器具２１の輝度が場所によってばらつくことがない。しかも、照明空間の明るさに過不足が生じないように照明器具２１の光出力を適正化しながらも、照明器具２１ごとに調光値を指示する必要がないから、照明器具２１の制御が容易である。
【００３１】
（実施形態２）
実施形態１で説明した構成では、照明制御装置１０は、一定の時間間隔である基本タイミングごとに明るさ値を取得している。そのため、照明空間の明るさの変化に対して、照明器具２１の光出力（輝度）を基本タイミングの時間間隔より早く追従させることはできない。すなわち、照明空間の明るさが目標範囲を逸脱した場合に、最大では基本タイミングの時間間隔を待たなければ、照明空間の明るさを目標範囲に収束させることができない。
【００３２】
照明空間の明るさの変化が自然光に起因する場合には、比較的緩やかに明るさが変化すると考えられるから、基本タイミングの時間間隔が比較的長く設定されていたとしても、照明空間の明るさの変化に対する違和感は生じにくい。しかしながら、ブラインドやカーテンの開閉に伴って照明空間の明るさが急激に変化した場合には、照明空間の明るさが目標範囲を大きく逸脱した状態が次の基本タイミングまで継続することになり、利用者にとっては違和感が生じることになる。
【００３３】
本実施形態は、照明空間の明るさの急激な変化に追従して照明器具２１の光出力を変化させる技術について説明する。本実施形態の照明制御装置１０は、実施形態１と同様の構成を備えている。ただし、取得部１１は、いずれかの明るさセンサ２２が発生した割込信号を受け付け、割込信号を受けたときに明るさセンサ２２から明るさ値を取得する機能が付加されている。ここに、明るさセンサ２２は、照明器具２１が照明する照明空間に対応付けられており、取得部１１は、割込信号を発生させた明るさセンサ２２が属する照明空間に対応付けられた複数個の明るさセンサ２２から明るさ値を取得する。
【００３４】
すなわち、１台の明るさセンサ２２から割込信号を受けた時点を割込タイミングとし、照明制御装置１０に接続された明るさセンサ２２のうち割込信号を発生した明るさセンサ２２と同じ照明空間に対応する複数台の明るさセンサ２２から明るさ値を取得する。この動作により、取得部１１は、基本タイミングとは異なる割込タイミングを取得タイミングとして明るさセンサ２２から明るさ値を取得する。
【００３５】
要するに、取得部１１は、少なくとも１台の明るさセンサ２２から割込信号が入力されると、この明るさセンサ２２と同じ照明空間に配置されているすべての明るさセンサ２２から明るさ値を取得するのである。取得部１１が取得した明るさ値は演算部１２に入力される。その後は実施形態１と同様に、演算部１２が代表値を算出し、制御部１３が照明器具２１に調光値を送信する。
【００３６】
一方、明るさセンサ２２は、明るさ値に限界範囲が設定されており、明るさ値が限界範囲を逸脱すると、接続線Ｌ２を通して照明制御装置１０に割込信号を送信する機能を有している。また、明るさセンサ２２は、割込信号を照明制御装置１０に送信した後に、照明制御装置１０から明るさ値の取得が要求されると、照明制御装置１０に明るさ値を返送する。
【００３７】
図５（ａ）に照明制御装置１０の動作を示し、図５（ｂ）に明るさセンサ２２の動作を示す。照明制御装置１０は、動作を開始すると、定周期タイマ１４による一定時間の計時を開始し、定周期タイマ１４がタイムアップするたびに（Ｓ２１，Ｓ２３：ｙｅｓ）、取得部１１が明るさセンサ２２ごとの明るさ値を取得する（Ｓ２４）。ただし、定周期タイマ１４が一定時間を計時している間に、明るさセンサ２２から割込信号が入力されると（Ｓ２２：ｙｅｓ）、定周期タイマ１４が一定時間を計時している期間であっても明るさセンサ２２の明るさ値を取得する（Ｓ２４）。
【００３８】
その後の処理は、実施形態１と同様であって、取得部１１が取得した明るさ値は演算部１２に与えられ、演算部１２は、取得した明るさ値から代表値（たとえば、平均値）を算出する（Ｓ２５）。また、制御部１３は、演算部１２が算出した代表値が許容上限Ｖ１以上であるときには（Ｓ２６：ｙｅｓ）、調光値を減少させ（Ｓ２７）、演算部１２が算出した代表値が許容下限Ｖ２以下であるときには（Ｓ２８：ｙｅｓ）、調光値を増加させる（Ｓ２９）。制御部１３は、代表値が許容上限Ｖ１を下回り（Ｓ２６：ｎｏ）、かつ代表値が許容下限Ｖ２を上回るときには（Ｓ２８：ｎｏ）、取得部１１が次に明るさ値を取得するまで、その時点の調光値を維持する。
【００３９】
一方、明るさセンサ２２は、明るさを計測し（Ｓ３１）、計測した明るさ値を、限界範囲を規定する上側閾値および下側閾値と比較する（Ｓ３２，Ｓ３３）。計測した明るさ値が、上側閾値以上である（Ｓ３２：ｙｅｓ）か、下側閾値以下である（Ｓ３３：ｙｅｓ）ときには、割込信号を照明制御装置１０に送信する（Ｓ３４）。また、照明制御装置１０から明るさ値の取得が要求されると（Ｓ３５：ｙｅｓ）、明るさを計測し（Ｓ３６）、計測した明るさ値を照明制御装置１０に送信する（Ｓ３７）。
【００４０】
したがって、照明制御装置１０は、図６に示すように、基本タイミング（ｔ１，ｔ２，ｔ３，ｔ４，ｔ５）において、明るさ値の代表値が許容上限Ｖ１以上であれば調光値を減少させ、明るさ値の代表値が許容下限Ｖ２以下であれば調光値を増加させる。また、明るさセンサ２２が計測した明るさ値が、上側閾値Ｖ３以上であるか、下側閾値Ｖ４以下であるときに、時刻ｔ１１，ｔ１２，ｔ１３で示す割込タイミングで明るさセンサ２２から照明制御装置１０に割込信号が送信される。すなわち、明るさセンサ２２は、計測した明るさ値が、上限値である上側閾値Ｖ３と下限値である下側閾値Ｖ４で定められる限界範囲を逸脱しているときに、割込信号を発生する。そのため、照明制御装置１０は、明るさ値の代表値が上側閾値Ｖ３以上であれば調光値を即時に低減させ、明るさ値の代表値が下側閾値Ｖ４以下であれば調光値を即時に増加させる。
【００４１】
なお、図６において縦軸は、割込タイミングについては１つの明るさセンサ２２が計測した明るさ値であり、基本タイミングについては複数個の明るさセンサ２２が計測した明るさ値の代表値である。したがって、図中の明るさ値は、必ずしも連続しないが、動作を説明するために模式的に記載している。
【００４２】
照明制御装置１０は、照明空間の明るさを目標範囲に調節することを目的として照明器具２１に指示する調光値を定めている。したがって、明るさ値の代表値が上側閾値Ｖ３以上あるいは下側閾値Ｖ４以下になった場合に照明器具２１に指示する調光値の定め方は、明るさ値が許容上限Ｖ１以上あるいは許容下限Ｖ２以下になった場合の調光値の定め方と同様である。
【００４３】
ところで、上側閾値Ｖ３は許容上限Ｖ１よりも高く設定され、下側閾値Ｖ４は許容下限Ｖ２よりも低く設定される。したがって、照明制御装置１０は、割込タイミングで照明器具２１に指示する調光値の増減の変化幅は、基本タイミングで照明器具２１に指示する調光値の増減の変化幅よりも大きくすることが好ましい。
【００４４】
以上説明したように、本実施形態は、実施形態１の動作に加えて、照明空間の明るさが上側閾値Ｖ３以上あるいは下側閾値Ｖ４以下となったときに、照明器具２１に指示する調光値を即時に変化させている。したがって、ブラインドやカーテンの開閉に伴って照明空間の明るさが急激に変化した場合でも、明るさの変化に追従して照明器具２１の光出力を変化させることが可能になる。すなわち、複数の明るさセンサ２２から得られた明るさ値の代表値で照明器具２１の調光値を決定することにより制御を簡単にし、しかも、明るさの急激な変化に対しては即時に調光値を変更することにより、応答性も担保されることになる。他の構成および動作は実施形態１と同様である。
【００４５】
ところで、上述した動作例は、限界範囲を上限値である上側閾値Ｖ３と下限値である下側閾値Ｖ４とで規定している。したがって、照明制御装置１０は、ブラインドやカーテンの開閉に伴って照明空間の明るさが急に変化した場合に、明るくなる方向であっても暗くなる方向であっても、照明器具２１の光出力を変化させるように調光値を照明器具２１に送信している。基本タイミングは一定の時間間隔であるから、照明空間の明るさがどのように変化しても照明器具２１に調光値を送信する頻度は増加することはない。これに対して割込信号は任意のタイミングで発生するから、割込信号の発生頻度は高くなる可能性がある。
【００４６】
割込信号の発生頻度が高くなると、照明制御装置１０が明るさセンサ２２から明るさ値を取得する頻度が高くなり、また、照明器具２１に調光値を送信する頻度も高くなる。その結果、通信路Ｌ１のトラフィックが増加し、また、接続線Ｌ２の占有時間が長くなる。このような事態が生じると、割込信号の発生から照明器具２１の光出力が変化するまでの時間が長くなり、結果的に、応答性が低下する可能性がある。
【００４７】
ところで、作業面照度が急に低下すると目の順応により作業に支障をきたす可能性があるが、作業面照度が急に増加しても照明光による照度の調節範囲であれば、作業に支障をきたすことはない。この知見によれば、限界範囲は、上側閾値Ｖ３を規定せずに下側閾値Ｖ４のみを規定していても作業に支障は生じないと考えられる。
【００４８】
そこで、限界範囲について上限値である上側閾値Ｖ３を定めずに、下限値である下側閾値Ｖ４のみで規定すれば、明るさセンサ２２で計測した明るさ値が下側閾値Ｖ４以下になった場合にのみ、照明制御装置１０が割込信号を受け取ることになる。そのため、照明空間で行う作業に大きな支障をきたすことなく、明るさの急激な変化に追従して照明器具２１の光出力を即時に変化させることが可能になる。
【００４９】
要するに、照明空間の明るさが急に低下した場合には照明器具２１の光出力を即時に高めて明るさを確保し、照明空間の明るさが急に増加した場合には照明器具２１の光出力を次の取得タイミングにおいて更新する構成を採用しているのである。この動作により、上述した構成よりも、照明制御装置１０が明るさセンサ２２にアクセスする頻度が減少し、照明制御装置１０が照明器具２１に調光値を送信する頻度も減少する。すなわち、照明空間における急激な明るさの変化に対する応答性を上述の動作例よりも高めることが可能になる。他の構成および動作は上述した構成例と同様である。
【００５０】
ところで、明るさセンサ２２は、明るさ値が限界範囲を逸脱すると割込信号を発生するから、明るさ値と限界範囲とを比較する図示しない比較回路を備えている。比較回路は、明るさ値を上側閾値Ｖ３と下側閾値Ｖ４との両方と比較する構成が望ましい。
【００５１】
ただし、下側閾値Ｖ４以下になった場合にだけ照明制御装置１０が割込信号を受け取る構成を採用する場合は、明るさセンサ２２は、明るさ値を下側閾値Ｖ４のみと比較する構成としてもよい。この構成を採用する場合、明るさセンサ２２は、明るさ値を下側閾値Ｖ４とのみ比較する比較回路を備えていればよいから、明るさ値を上側閾値Ｖ３および下側閾値Ｖ４と比較する構成に比べて簡単な構成になる。また、明るさ値を上側閾値Ｖ３および下側閾値Ｖ４と比較する構成に比べ、明るさセンサ２２での割込信号の発生頻度が低減されるから、結果的に照明制御装置１０と明るさセンサ２２との間の情報伝送の頻度も低減されることになる。さらに、この構成では、明るさ値と限界範囲との関係を明るさセンサが判断するから、照明制御装置１０の処理負荷が低減されることになる。
【００５２】
一方、明るさ値が下側閾値Ｖ４以下になると照明器具２１に調光値が指示される動作であって、明るさセンサ２２が明るさ値を上側閾値Ｖ３と下側閾値Ｖ４との両方と比較して割込信号を発生する構成である場合、比較回路は照明制御装置１０に設けられる。すなわち、照明制御装置１０は、明るさセンサ２２から割込信号を受けると、該当する明るさセンサ２２から明るさ値を取得し、この明るさ値を下側閾値Ｖ４と比較する。照明制御装置１０に比較回路を設けると、明るさ値を上側閾値Ｖ３と下側閾値Ｖ４との両方と比較する動作と、明るさ値を下側閾値Ｖ４とだけ比較する動作とが混在している場合でも、明るさセンサ２２は共通の構成を用いることが可能になる。すなわち、１種類の明るさセンサ２２を用いて、２種類の動作に対応可能になる。
【００５３】
本実施形態の構成を採用すると、照明制御装置１０と明るさセンサ２２との間で接続線Ｌ２を通して伝送される情報量が低減されるから、接続線Ｌ２に許容された情報の伝送量が同じであっても、明るさセンサ２２の個数を増加させることが可能になる。すなわち、照明制御装置１０が管理する明るさセンサ２２の台数を増加させ、大規模なシステムを構築することが可能になる。
【００５４】
ところで、上述した構成のように、照明制御装置１０が明るさセンサ２２からの割込信号を受けると照明器具２１に調光値を指示する構成では、複数個の明るさセンサ２２で発生した割込信号が照明制御装置１０に短時間内に次々に入力される可能性がある。この場合、割込信号の入力毎に明るさセンサ２２から明るさ値を取得して調光値を決めると、割込信号の入力時点ごとに異なる調光値を照明器具２１に指示する可能性が生じる。すなわち、比較的短い時間内に照明器具２１に次々に調光値が指示されることになり、照明器具２１の光出力が所望値にならずに、オーバーシュートやアンダーシュートを生じる可能性がある。
【００５５】
このような事象を防止するために、取得部１１が割込信号を受けて制御部１３が照明器具２１に調光値を指示したときに、制御部１３は少なくとも次の基本タイミングまで調光値を維持することが好ましい。すなわち、照明制御装置１０は、割込タイミングで照明器具２１に指示する調光値を変更すると、少なくとも次の基本タイミングまでは、他の割込信号に応答せずに、変更した調光値を維持するように構成される。
【００５６】
この構成を採用することにより、隣り合う基本タイミングの間の期間に、複数の明るさセンサ２２から割込信号が発生したとしても、照明制御装置１０は、最初に発生した割込信号だけを受け付けることになる。その結果、照明制御装置１０は、照明器具２１の光出力を短時間内に更新することがなく、照明器具２１の光出力は安定に保たれ、オーバーシュートやアンダーシュートを生じることが防止される。
【００５７】
（実施形態３）
本実施形態は、図７に示すように、図２に示した実施形態１の構成に加えて、照明制御装置１０に接続線Ｌ３を介して接続した人感センサ２３が付加されている。人感センサ２３は、照明空間における人の存否を検出できればよく、たとえば、焦電型赤外線センサを用いて人体から放射される熱線を検知するように構成される。ここに、人感センサ２３を照明制御装置１０に接続している接続線Ｌ３は、明るさセンサ２２を接続する接続線Ｌ２と共用することも可能である。たとえば、明るさセンサ２２および人感センサ２３と照明制御装置１０との間で通信技術を用いて情報を伝送する場合、照明制御装置１０の取得部１１は、１本の接続線Ｌ２（Ｌ３）を用いて、複数台の明るさセンサ２２および人感センサ２３から情報を取得することが可能になる。
【００５８】
照明制御装置１０において、取得部１１は、人感センサ２３による人の存否の状態を人感センサ２３の検出出力として取得し、制御部１３は、取得タイミングにおいて人感センサ２３が照明空間における人の存在を検知している場合にのみ実施形態１あるいは実施形態２と同様の動作を行う。いま、実施形態２と同様に、基本タイミングに取得した明るさ値の代表値が目標範囲を逸脱している場合と、明るさ値が限界範囲を逸脱したことにより割込タイミングで明るさ値を取得した場合とにおいて、照明器具２１に調光値を指示する場合を想定する。
【００５９】
本実施形態では、照明制御装置１０は、基本タイミングと割込タイミングとにおいて、人感センサ２３から人の存否の検出結果を取得する。ここで、人感センサ２３が照明空間における人の存在を検出していない場合、つまり照明空間に人が不在である場合、取得部１１は、明るさセンサ２２から明るさ値を取得せず、照明器具２１の調光値を変化させずに維持する。一方、人感センサ２３が照明空間における人の存在を検出している場合、取得部１１は明るさセンサ２２から明るさ値を取得し、制御部１３は取得部１１が取得した明るさ値に基づいて決定した調光値を照明器具２１に指示する。
【００６０】
上述の動作は、基本タイミングと割込タイミングとの両方について、照明空間における人の存否に応じて、明るさセンサ２２から明るさ値を取得するか否かを決めている。これに対して、基本タイミングについて、人の存否にかかわらず明るさ値を取得し、割込タイミングについて、人が存在する場合にのみ明るさ値を取得する動作を採用してもよい。さらに、割込タイミングについて、人が存在しても明るさ値が下側閾値Ｖ４以下になる場合にのみ明るさ値を取得する動作を採用してもよい。
【００６１】
図８に本実施形態による動作例を示す。図８に示す動作は、実施形態２と同様に、目標範囲に加えて限界範囲が定められ、目標範囲の上限である許容上限Ｖ１、目標範囲の下限である許容下限Ｖ２、限界範囲の上限である上側閾値Ｖ３、限界範囲の下限である下側閾値Ｖ４が定められている。また、図８には人感センサ２３による照明空間での人の存否の検出結果が示されている。
【００６２】
図示例は、上述した３種類の動作のすべてに当て嵌まる。すなわち、基本タイミングと割込タイミングとの両方で調光値を指示する動作、割込タイミングで調光値を指示する動作、割込タイミングで明るさが下側閾値Ｖ４以下の場合のみ調光値を指示する動作のいずれであっても図８に示すように動作する。図８における左右方向の中央部が人の存在期間Ｔｅ、左右方向の両側が人の不在期間Ｔａである。
【００６３】
図示例では、不在期間Ｔａに、明るさ値が上側閾値Ｖ３以上になる期間あるいは下側閾値Ｖ４以下になる期間が存在している。しかしながら、これらの期間は、照明空間に人が不在であって、明るさを調節する必要がないと判断されている。一方、存在期間Ｔｅには基本タイミングである時刻ｔ３において明るさ値の代表値が許容上限Ｖ１以上になる期間が生じているから、時刻ｔ３で照明器具２１に指示する調光値の更新ＲＮを行っている。また、存在期間Ｔｅにおいて明るさ値が下側閾値Ｖ４以下になる期間が生じているから、時刻ｔ１４において照明器具２１に指示する調光値の更新ＲＮを行っている。
【００６４】
以上説明したように、本実施形態は、人感センサ２３によって照明空間における人の存否を検出し、人が不在であれば、照明器具２１に対する調光値の指示を行わないか、基本タイミングでのみ照明器具２１に対する調光値の指示を行う。したがって、照明制御装置１０が明るさセンサ２２に対して明るさ値を要求する頻度が低減され、照明制御装置１０が照明器具２１に対して調光値を指示する頻度が低減される。そのため、人感センサ２３を用いていない場合よりも、照明器具２１の光出力を変化させる頻度が低減する。すなわち、照明空間に人が不在であるときに、照明器具２１の光出力を変化させる無駄な制御を低減させることになる。他の構成および動作は実施形態１、実施形態２と同様である。
【００６５】
上述した各実施形態では、照明制御装置１０が、照明器具２１、明るさセンサ２２、人感センサ２３とは物理的に分離されている構成について説明した。ただし、照明制御装置１０は、照明器具２１、明るさセンサ２２、人感センサ２３のいずれかと物理的に結合されていてもよい。たとえば、複数個の明るさセンサ２２のうちのいずれかと照明制御装置１０とがケースを共用していてもよい。
【符号の説明】
【００６６】
１０  照明制御装置
１１  取得部
１２  演算部
１３  制御部
１４  定周期タイマ
２１  照明器具（照明装置）
２２  明るさセンサ
２３  人感センサ
【図１】
0005950186.tif 000002
【図２】
0005950186.tif 000003
【図３】
0005950186.tif 000004
【図４】
0005950186.tif 000005
【図５】
0005950186.tif 000006
【図６】
0005950186.tif 000007
【図７】
0005950186.tif 000008
【図８】
0005950186.tif 000009